(57)【要約】  本発明は、噴霧器具を開示する。前記噴霧器具は、噴霧部を含み、噴霧針は第１の制御チャンネルを通過し、第２の水チャンネルを通過して噴霧端に到達し、噴霧針には制御ブロックが接続され、第２の水チャンネルには、噴霧端の近くに第２の制御チャンネルが設けられ、噴霧針が第２の制御チャンネルに挿入されと、噴霧針が第２の制御チャンネルの内壁に密着し水が第２の制御チャンネルを通過するのをブロックし、同時に制御ブロックが空気進入穴を詰め、水タンク内の水が大気圧から遮断され、噴霧針が第２の制御チャンネルから分離されると、制御ブロックが空気進入穴から離れ、水タンク内の水が大気圧と連通し、水が第２の制御チャンネルを介して噴霧端に到達できることにより、噴霧針による水流と水タンクの大気圧連通に対する同時制御を実現し、噴霧端への水流が安定して信頼でき、噴霧器具を使用しないとき、水タンクが第１の水チャンネルと連通しているが、第１の水チャンネル内の水が流動しないため、水タンク内からの水流出を防ぎ、噴霧器具の水密性を高める。
2021508596.tif 000002
【特許請求の範囲】
【請求項１】
噴霧部を含み、
前記噴霧部は、噴霧ヘッド、第１の水・空気調節部、第２の水・空気調節部、噴霧針、制御ブロックおよび水タンクを含み、
前記噴霧ヘッドには、水・空気チャンネルが設けられ、前記噴霧ヘッドは噴霧端を含み、前記水・空気チャンネルが前記噴霧ヘッドを貫通し、水・空気チャンネルが噴霧端から噴霧ヘッドの噴霧端から離れた一端まで延伸し、
前記第１の水・空気調節部には、第１の水チャンネル、第１の空気チャンネルおよび第１の噴霧針チャンネルが設けられ、前記第１の水チャンネルと第１の噴霧針チャンネルが于第１の制御チャンネルで交差し、前記第１の水・空気調節部には空気進入穴が設けられ、前記空気進入穴が第１の水チャンネルおよび第１の噴霧針チャンネルと連通し、前記第１の水チャンネルが水タンクと連通し、水タンク内の水が重力作用下で第１の水チャンネルに進入し、
前記第２の水・空気調節部には、第２の水チャンネルおよび第２の空気チャンネルが設けられ、前記第２の水・空気調節部が噴霧ヘッドに接続され、前記第２の水チャンネルが噴霧端と連通し、前記第２の水・空気調節部と噴霧ヘッドの間に第３の空気チャンネルが形成され、前記第２の空気チャンネルが第３の空気チャンネルと連通し、前記第２の水・空気調節部が第１の水・空気調節部に接続され、前記第１の空気チャンネルが第２の空気チャンネルと連通し、前記第１の水チャンネルが第２の水チャンネルと連通することにより、第１の水チャンネル内の水が第２の水チャンネルを介して噴霧端に到達し、第１の空気チャンネル中の空気が順に第２の空気チャンネルと第３の空気チャンネルを介して噴霧端に到達し、
前記噴霧針が第１の制御チャンネルを通過し、第２の水チャンネルを通過して噴霧端に到達し、前記噴霧針には制御ブロックが接続され、前記第２の水チャンネルは噴霧端の近くに第２の制御チャンネルが設けられ、噴霧針が前記第２の制御チャンネルに挿入されると、噴霧針が第２の制御チャンネルの内壁に密着し水が第２の制御チャンネルを通過するのをブロックし、同時に制御ブロックが空気進入穴を詰めて、水タンク内の水が大気圧から遮断され、噴霧針が第２の制御チャンネルから分離されると、制御ブロックが空気進入穴から離れ、水タンク内の水が大気圧と連通し、水が第２の制御チャンネルを通過して噴霧端に到達できる、ことを特徴とする噴霧器具。
【請求項２】
前記第２の空気チャンネルは、複数であり、
前記複数の第２の空気チャンネルは、噴霧針に沿って均一に分布されることを特徴とする請求項１に記載の噴霧器具。
【請求項３】
前記制御ブロックはリング状であり、前記制御ブロックは、噴霧針の挿入方向に沿って空気進入穴を覆うことを特徴とする請求項１または２に記載の噴霧器具。
【請求項４】
前記噴霧部は、第１の制御部をさらに含み、
前記第１の制御部は第１の接続ブロックを含み、前記第１の接続ブロックが噴霧針に接続され、前記第１の接続ブロックが噴霧端から離れることを特徴とする請求項１に記載の噴霧器具。
【請求項５】
前記第１の制御部は、第１の制御ブロックをさらに含み、
前記第１の制御ブロックは、第１の制御パネルおよび第２の接続ブロックを含み、前記第１の制御パネルが第２の接続ブロックに接続され、前記第１の制御ブロックには回転軸が設けられ、前記第１の制御ブロックが回転軸を介して第１の水・空気調節部に回転可能に接続され、
使用するとき、ユーザは、前記第１の制御パネルを押圧して第２の接続ブロックを回転軸を中心に回転させ、前記第２の接続ブロックは、噴霧針が第２の制御チャンネルから分離されるように、第１の接続ブロックに作用し、同時に制御ブロックが空気進入穴から離れることを特徴とする請求項４に記載の噴霧器具。
【請求項６】
前記第１の空気チャンネルには空気圧ポンプが接続され、前記空気圧ポンプには制御スイッチが設けられ、前記制御スイッチによって空気圧ポンプの起動を制御し、
ユーザが前記第１の制御パネルを押圧すると、前記第１の制御ブロックが制御スイッチに作用して、噴霧端への水進入を達成し、空気圧ポンプの起動によって発生される空気圧が噴霧端に進入することを特徴とする請求項５に記載の噴霧器具。
【請求項７】
前記噴霧器具は電源をさらに含み、前記電源は空気圧ポンプを起動するための電力を提供し、
前記電源には充電ソケットが設けられることを特徴とする請求項６に記載の噴霧器具。
【請求項８】
前記噴霧ヘッドは、噴霧端に噴霧溝が設けられ、前記第２の水チャンネルが噴霧溝と連通し、前記第３の空気チャンネルが噴霧溝と連通し、
水・空気によって噴霧溝で噴霧が発生されることを特徴とする請求項１に記載の噴霧器具。
【請求項９】
前記水タンクには１つの水出口が設けられ、前記水出口が第１の水チャンネルと連通することを特徴とする請求項１に記載の噴霧器具。
【請求項１０】
前記第１の制御部は、第２の制御ブロックをさらに含み、第２の制御ブロックが噴霧針に垂直な方向に沿って摺動可能であり、
前記第２の接続ブロックは、前記第１の制御パネルに垂直であり、前記回転軸は第１の制御パネルと第２の接続ブロックの垂直な接続箇所に位置し、ユーザは、噴霧針に垂直な方向に沿って第２の制御ブロックを第１の制御パネルに作用するように押圧すると、噴霧針が移動して第２の制御チャンネルから分離されることを特徴とする請求項５に記載の噴霧器具。
【発明の詳細な説明】
【技術分野】
【０００１】
本発明は、噴霧器具に関する。
【背景技術】
【０００２】
既存の噴霧器具は、水タンクに少なくとも２つの穴を設ける必要があり、１つの穴は水タンク内の水流出に使用され、もう１つの穴は水タンクと大気圧の連通に使用される。このような構造の水タンクには２つの予備穴が必要であり、生産時２つの予備穴を封止する必要があり、プロセスが複雑で、生産コストが高く、使用時２つの予備穴を開ける必要があり、水チャンネルには流水穴を開けるための専用の穴開け構が設けられるが、大気圧と連通する穴を手動で開ける必要があり、ユーザにとって面倒である。
【発明の概要】
【発明が解決しようとする課題】
【０００３】
上記の技術的問題を解決するために、本発明は、水タンクが１つの穴のみを有する噴霧器具を提供する。
【０００４】
本発明の技術的解決策は以下の通りである。前記噴霧器具は噴霧部を含み、前記噴霧部は、噴霧ヘッド、第１の水・空気調節部、第２の水・空気調節部、噴霧針、制御ブロックおよび水タンクを含み、前記噴霧ヘッドには、水・空気チャンネルが設けられ、前記噴霧ヘッドは噴霧端を含み、前記水・空気チャンネルが前記噴霧ヘッドを貫通し、水・空気チャンネルが噴霧端から噴霧ヘッドの噴霧端から離れた一端まで延伸し、前記第１の水・空気調節部には、第１の水チャンネル、第１の空気チャンネルおよび第１の噴霧針チャンネルが設けられ、前記第１の水チャンネルと第１の噴霧針チャンネルが第１の制御チャンネルで交差し、前記第１の水・空気調節部には空気進入穴が設けられ、前記空気進入穴が第１の水チャンネルおよび第１の噴霧針チャンネルと連通し、前記第１の水チャンネルが水タンクと連通し、水タンク内の水が重力作用下で第１の水チャンネルに進入し、前記第２の水・空気調節部には、第２の水チャンネルおよび第２の空気チャンネルが設けられ、前記第２の水・空気調節部が噴霧ヘッドに接続され、前記第２の水チャンネルが噴霧端と連通し、前記第２の水・空気調節部と噴霧ヘッドの間に第３の空気チャンネルが形成され、前記第２の空気チャンネルが第３の空気チャンネルと連通し、前記第２の水・空気調節部が第１の水・空気調節部に接続され、前記第１の空気チャンネルが第２の空気チャンネルと連通し、前記第１の水チャンネルが第２の水チャンネルと連通することにより、第１の水チャンネル内の水が第２の水チャンネルを介して噴霧端に到達し、第１の空気チャンネル中の空気が順に第２の空気チャンネルおよび第３の空気チャンネルを介して噴霧端に到達し、前記噴霧針が第１の制御チャンネルを通過し、第２の水チャンネルを通過して噴霧端に到達し、前記噴霧針には制御ブロックが接続され、前記第２の水チャンネルが噴霧端の近くに第２の制御チャンネルが設けられ、噴霧針が前記第２の制御チャンネルに挿入されると、噴霧針が第２の制御チャンネルの内壁に密着し水が第２の制御チャンネルを通過するのをブロックし、同時に制御ブロックが空気進入穴を詰め、水タンク内の水が大気圧から遮断され、噴霧針が第２の制御チャンネルから分離されると、制御ブロックが空気進入穴から離れ、水タンク内の水が大気圧と連通し、水が第２の制御チャンネルを通過して噴霧端に到達できる。
【０００５】
さらに、前記第２の空気チャンネルは、複数であり、前記複数の第２の空気チャンネルは、噴霧針に沿って均一に分布される。
【０００６】
さらに、前記制御ブロックはリング状であり、前記制御ブロックは噴霧針の挿入方向に沿って空気進入穴を覆うことにより、使用中噴霧針が回転しても、前記制御ブロックが空気進入穴を制御することもできる。
【０００７】
さらに、前記噴霧部は、第１の制御部をさらに含み、前記第１の制御部は第１の接続ブロックを含み、前記第１の接続ブロックが噴霧針に接続され、前記第１の接続ブロックが噴霧端から離れる。
【０００８】
さらに、前記第１の制御部は、第１の制御ブロックをさらに含み、前記第１の制御ブロックは、第１の制御パネルおよび第２の接続ブロックを含み、前記第１の制御パネルが第２の接続ブロックに接続され、前記第１の制御ブロックには回転軸が設けられ、前記第１の制御ブロックが回転軸を介して第１の水・空気調節部に回転可能に接続され、
【０００９】
使用するとき、ユーザは、前記第１の制御パネルを押圧して第２の接続ブロックを回転軸を中心に回転させ、前記第２の接続ブロックは、噴霧針が第２の制御チャンネルから分離されるように、第１の接続ブロックに作用し、同時に制御ブロックが空気進入穴から離れる。
【００１０】
さらに、前記第１の空気チャンネルには空気圧ポンプが接続され、前記空気圧ポンプには制御スイッチが設けられ、前記制御スイッチにょって空気圧ポンプの起動を制御し、
【００１１】
ユーザが前記第１の制御パネルを押圧すると、前記第１の制御ブロックが制御スイッチに作用して、噴霧端への水進入を達成し、空気圧ポンプの起動によって発生された空気圧が噴霧端に進入する。
さらに、前記噴霧器具は電源をさらに含み、前記電源は空気圧ポンプを起動するための電力を提供し、前記電源には充電ソケットが設けられる。
【００１２】
さらに、前記噴霧ヘッドは、噴霧端に噴霧溝が設けられ、前記第２の水チャンネルが噴霧溝と連通し、前記第３の空気チャンネルが噴霧溝と連通し、水・空気によって噴霧溝で噴霧が発生される。
【００１３】
さらに、前記水タンクには１つの水出口が設けられ、前記水出口が第１の水チャンネルと連通する。
【００１４】
さらに、前記第１の制御部は、第２の制御ブロックをさらに含み、第２の制御ブロックが噴霧針に垂直な方向に摺動可能であり、前記第２の接続ブロックは、前記第１の制御パネルに垂直であり、前記回転軸は第１の制御パネルと第２の接続ブロックの垂直な接続箇所に位置し、ユーザは、噴霧針に垂直な方向に沿って第２の制御ブロックを第１の制御パネルに押圧するように押圧すると、噴霧針が移動して第２の制御チャンネルから分離される。
【発明の効果】
【００１５】
本発明の有益な効果は、噴霧針によって水流および水タンクと大気圧の連通を同時に制御でき、噴霧端への水流の安定性を確保でき、噴霧器具を使用しない時、水タンクが第１の水チャンネルと連通するが、第１の水チャンネル内の水が流動できないため、水タンクからの水流出を防ぎ、噴霧器具の水密性を高める。
【図面の簡単な説明】
【００１６】
【図１】噴霧器具の概略図である。
【図２】噴霧部の構造概略図である。
【図３】第１の水・空気調節部の概略図である。
【図４】第２の水・空気調節部と噴霧ヘッドの接続構造の概略図である。
【図５】噴霧ヘッドの構造概略図である。
【発明を実施するための形態】
【００１７】
当業者が本発明の技術的解決策を理解するのを容易にするために、本発明の技術的解決策を、以下に具体的な実施例と併せてさらに詳細に説明する。
【００１８】
図１、図２、図３、図４および図５に示すように、前記噴霧器具１００は、噴霧部２０を含む。噴霧部２０は噴霧を発生させるために使用される。前記噴霧部２０は噴霧器具１００を含む。前記噴霧部２０は、発生された噴霧を所定の方向および範囲にスプレーして噴霧の方向性を高め、ユーザが噴霧器具１００を制御するのに便利である噴霧ヘッド２１と、水・空気をそれぞれ噴霧部２０に導入する。ユーザまたは生産者が必要に応じて水および／または空気を噴霧発生用の他の流体に置換してもよい第１の水・空気調節部２２と、水・空気をそれぞれ噴霧端２１１に導入するための第２の水・空気調節部２３と、流体の流動、本実施例では水の流動を制御するための噴霧針２４と、本実施例では水タンクの導通または大気圧遮断のための制御ブロック２５と、水または他の流体を貯蔵するための水タンク２６とを含むが、これらに限定されない。前記噴霧ヘッド２１は、水・空気を所定方向に沿って所定の位置まで案内するための水・空気チャンネル２１２を含む。前記噴霧ヘッド２１は、水・空気が噴霧を形成する噴霧端２１１を含む。前記水・空気チャンネル２１２は、噴霧針２４を直線状の針にするために前記噴霧ヘッド２１を貫通し、構造が簡単で、コストが低く、水・空気チャンネル２１２が噴霧端２１１から噴霧ヘッド２１の噴霧端２１１から離れた一端まで延伸し、水・空気が噴霧端２１１まで案内されることを確保する。前記第１の水・空気調節部２２には、第１の水チャンネル２２１、第１の空気チャンネル２２２および第１の噴霧針チャンネル２２３が設けられる。前記第１の水チャンネル２２１と第１の噴霧針チャンネル２２３が第１の制御チャンネル２２４で交差し、前記第１の水・空気調節部２２には空気進入穴２２５が設けられる。前記空気進入穴２２５が第１の水チャンネル２２１および第１の噴霧針チャンネル２２３と連通して、空気案内チャンネルａを形成する。前記第１の水チャンネル２２１が水タンク２６と連通し、水タンク２６内の水が重力作用下で第１の水チャンネル２２１に進入し、水が第１の水チャンネル２２１を流れる必要があるとき、水タンク２６が空気進入穴２２５を介して大気圧と連通し、水の通常流動を確保する。前記第２の水・空気調節部２３には、第２の水チャンネル２３１および第２の空気チャンネル２３２が設けられる。第２の水チャンネル２３１は水の噴霧端２１１への流動のために使用される。第２の空気チャンネル２３２は空気流の噴霧端２１１への流動のために使用される。前記第２の水・空気調節部２３が噴霧ヘッド２１に接続される。前記第２の水チャンネル２３１が噴霧端２３１と連通し、水が第２の水チャンネル２３１を介してのみ噴霧端２１１に進入できることを確保する。第２の水チャンネル２３１に噴霧針２４の外径とあわせた部分を設けて、噴霧針２４による水の噴霧端２１１への流動の制御を実現する。前記第２の水・空気調節部２３が噴霧ヘッド２１に接続される。同時に前記第２の水・空気調節部２３と噴霧ヘッド２１の間に第３の空気チャンネル２１３が形成されることにより、前記第３の空気チャンネル２１３が所定の形状およびサイズに従って形成され、それによって空気の噴霧端２１１への流動安定性を確保する。前記第２の空気チャンネル２３２が第３の空気チャンネル２１３と連通し、前記第２の水・空気調節部２３が第１の水・空気調節部２２に接続される。前記第１の空気チャンネル２２２が第２の空気チャンネル２３２と連通し、前記第１の水チャンネル２２１が第２の水チャンネル２３１と連通することにより、第１の水チャンネル２２１内の水が第２の水チャンネル２３１を介して噴霧端２１１に到達し、水タンク２６から水の噴霧端２１１への流動を確保する。第１の空気チャンネル２２２中の空気が順に第２の空気チャンネル２３２および第３の空気チャンネル２１３を介して噴霧端２１１に到達し、前記噴霧針２４が第１の制御チャンネル２２４を通過し、第２の水チャンネル２３１を通過して噴霧端２１１に到達し、前記噴霧針２４に制御ブロック２５が接続される。前記第２の水チャンネル２３１は噴霧端２１１の近くに第２の制御チャンネル２３１１が設けられる。噴霧針２４が前記第２の制御チャンネル２３１１に挿入されると、噴霧針２４が第２の制御チャンネル２３１１の内壁に密着し水が第２の制御チャンネル２３１１を通過するのをブロックし、同時に制御ブロック２５が空気進入穴２２５を詰め、水タンク２６内の水が大気圧から遮断され、噴霧針２４が第２の制御チャンネル２３１１から分離されると、制御ブロック２５が空気進入穴２２５から離れ、水タンク２６内の水が大気圧と連通し、水が第２の制御チャンネル２３１１を介して噴霧端２１１に到達でき、噴霧針２４による水流および水タンク２６と大気圧の連通の同時制御を実現し、水流の噴霧端２１１への流動安定性を確保できる。噴霧器具１００を使用しないとき、水タンク２６が第１の水チャンネル２２１と連通するが、第１の水チャンネル２２１内の水が流動できないため、水タンク２６からの水流出を防ぎ、噴霧器具１００の水密性を高め、ここでの空気進入穴２２５が大気圧と連通するのに限定されない。当業者は、本実施例の技術的解決策を十分に理解した上、前記空気進入穴２２５を膨張装置に連通し、噴霧針２４を制御しながら膨張装置の動作を制御することにより、水流制御および水タンク２６と空気圧の制御をも実現できる。前記第２の空気チャンネル２３２は複数であり、前記複数の第２の空気チャンネル２３２が噴霧針２４に沿って均一に分布され、噴霧端２１１に進入した空気が均一で安定であり、形成された噴霧が均一で安定性を有する。前記制御ブロック２５はリング状であり、前記制御ブロック２５が噴霧針２４の挿入方向に沿って空気進入穴２２５を覆い、使用中噴霧針２４が回転しても、リング状の制御ブロック２５が空気進入穴２２５を覆うことができ、噴霧器具１００の使用機能に影響を及ぼない。
【００１９】
図１、図２、図３、図４および図５に示すように、前記噴霧部２０は第１の制御部２７をさらに含む。前記第１の制御部２７は噴霧針２４の移動を制御し、前記第１の制御部２７は第１の接続ブロック２７１を含む。前記第１の接続ブロック２７１が噴霧針２４に接続される。ユーザは第１の接続ブロック２７１の移動を制御することで噴霧針２４を移動し、操作が便利で信頼性が高く、前記第１の接続ブロック２７１が噴霧端２１１から離れ、噴霧端２１１と第１の接続ブロック２７１間の距離を増加することで、ユーザはあらゆる噴霧方向でも使用でき、噴霧器具１００の使用習慣に適合する。
【００２０】
図１、図２、図３、図４および図５に示すように、前記第１の制御部２７は第１の制御ブロック２７２をさらに含む。前記第１の制御ブロック２７２は第１の制御パネル２７２１および第２の接続ブロック２７２２を含む。前記第１の制御パネル２７２１が第２の接続ブロック２７２２に接続される。前記第１の制御ブロック２７２には回転軸が設けられる。前記第１の制御ブロック２７２１が回転軸を介して第１の水・空気調節部２２に回転可能に接続される。前記第１の制御部２７によって噴霧針２４を第１の水・空気調節部２２に対して移動させ、前記噴霧針２４の第２の水チャンネル２３１に対する相対的な移動を達成し、噴霧針２４の水流への制御機能を実現する。
【００２１】
使用時、ユーザは前記第１の制御パネル２７２１を押圧して第２の接続ブロック２７２２を回転軸を中心に回転させ、前記第２の接続ブロック２７２２が第１の接続ブロック２７１に作用して噴霧針２４を第２の制御チャンネル２３１１から分離させる。同時に制御ブロック２５が空気進入穴２２５から離れ、ユーザが前記噴霧針２４を水平方向で顔にむかって移動させる。非水平方向の押圧操作（前記第１の制御パネル２７２１を押圧）により、噴霧器具１００は操作が簡単で労力を省く。前記第２の接続ブロック２７２２は第１の制御パネル２７２１に垂直な方向に沿って延伸する。前記第１の制御部２７は第２の制御ブロックをさらに含む。第２の制御ブロックは噴霧針２４に垂直な方向に沿って摺動可能であり、前記第２の接続ブロックが前記第１の制御パネル２７２１に垂直であり、前記回転軸が第１の制御パネル２７２１と第２の接続ブロック２７２２の垂直な接続箇所に位置し、ユーザが噴霧針２４に垂直な方向に沿って第２の制御ブロックを第１の制御パネル２７２１に作用するように押圧すると、噴霧針２４が移動して第２の制御チャンネル２３１１から分離される。ユーザは下方向に第１の制御パネル２７２１を押圧することで噴霧針２４の水平移動を実現し、水平方向の噴霧を発生させる。前記第１の空気チャンネル２２２には空気圧ポンプが接続される。前記空気圧ポンプには制御スイッチが設けられる。前記制御スイッチは空気圧ポンプの起動を制御する。
【００２２】
ユーザは前記第１の制御パネル２７２１を押圧するとき、前記第１の制御ブロック２７２が制御スイッチに作用し、水の噴霧端２１１への進入を実現する時、空気圧ポンプの起動によって発生された空気圧が噴霧端２１１に進入し、噴霧器具１００による水・空気の同時制御を実現し、操作が簡単である。前記噴霧器具１００は電源をさらに含む。前記電源は空気圧ポンプの起動のための電力を提供し、前記電源には充電ソケットが設けられる。前記噴霧器具１００の持ち運びに便利で、ユーザはいつでも必要に応じて前記噴霧器具１００を使用することができる。
【００２３】
図１、図２、図３、図４および図５に示すように、前記噴霧ヘッド２１は噴霧端２１１に噴霧溝が設けられる。前記第２の水チャンネル２３１が噴霧溝と連通し、前記第３の空気チャンネル２１３が噴霧溝と連通し、水・空気によって噴霧溝中で噴霧が発生され、前記噴霧部２１によって発生された噴霧が噴霧溝に沿って広がることを確保する。ユーザが使用前に噴霧方向を判定するのに便利であり、間違い噴霧方向によるぎこちない状況を回避し、同時に水および電源を節約しながら、前記噴霧器具１００の耐用年数を延ばす。
【００２４】
図１、図２、図３、図４および図５に示すように、前記水タンク２６には１つの水出口が設けられる。前記水出口が第１の水チャンネル２２１と連通しているので、水タンク２６は１つの水出口のみを有する構造になり、前記水タンク２６は構造が簡単で、使用しやすい。
【００２５】
以上は、本発明の好ましい実施例に過ぎず、本発明の保護範囲を限定するものではない。当業者は本発明の技術的解決策を理解した上でなされた非創造的な修正や変更は、すべて本発明の保護範囲に含まれるのは明らかである。
【図１】
2021508596.tif 000003
【図２】
2021508596.tif 000004
【図３】
2021508596.tif 000005
【図４】
2021508596.tif 000006
【図５】
2021508596.tif 000007
【国際調査報告】
2021508596.tif 000008
2021508596.tif 000009
2021508596.tif 000010
2021508596.tif 000011